(57)【要約】【課題】複数台の交流信号発生器を同期運転して交流電力を発生させる場合に、ユーザの設定作業を簡易化する。【解決手段】複数台で同期運転して交流電力を発生する交流信号発生器であって、交流電圧発生部と、交流電流発生部と、基準信号発生部と、マスタとして動作する場合に、基準信号を外部に出力し、結線方式と、基準信号の周波数と、電圧と電流との位相差と、の設定を受け付け、設定された結線方式に応じて、各相の電圧と電流の基準信号に対する位相差を算出し、基準信号に同期して、第１相の交流信号を発生させ、他相の基準信号に対する電圧と電流の位相差をスレーブに伝達し、スレーブとして動作する場合に、基準信号を外部から入力し、外部から入力した前記基準信号に同期して、マスタから伝達された前記位相差に従った交流信号を発生させる設定制御部と、を備えた交流信号発生器。【選択図】図１
2019021960.tif 000002
【特許請求の範囲】
【請求項１】
マスタあるいはスレーブとして動作し、複数台で同期運転して交流電力を発生する交流信号発生器であって、
交流電圧発生部と、
交流電流発生部と、
基準信号を発生する基準信号発生部と、
マスタとして動作する場合に、
結線方式と、基準信号の周波数と、電圧と電流との位相差と、の設定を受け付け、
設定された周波数の基準信号を外部に出力し、
設定された結線方式に応じて、各相の電圧と電流の基準信号に対する位相差を算出し、
前記基準信号に同期して、第１相の交流信号を、前記交流電圧発生部と前記交流電流発生部に発生させ、
他相の基準信号に対する電圧と電流の位相差をスレーブに伝達し、
スレーブとして動作する場合に、
基準信号を外部から入力し、
外部から入力した前記基準信号に同期して、マスタから伝達された前記位相差に従った交流信号を、前記交流電圧発生部と前記交流電流発生部に発生させる設定制御部と、
を備えたことを特徴とする交流信号発生器。
【請求項２】
表示器を備え、
前記設定制御部は、マスタとして動作する場合に、前記算出した各相の電圧と電流の基準信号に対する位相差に基づく位相図を前記表示器に表示することを特徴とする請求項１に記載の交流信号発生器。
【請求項３】
前記設定制御部は、スレーブとして動作する場合に、前記マスタから伝達された位相差に基づく位相図を前記表示器に表示することを特徴とする請求項２に記載の交流信号発生器。
【請求項４】
前記設定制御部は、
自交流信号発生器および接続された交流信号発生器のいずれかにおいて、過電圧あるいは過電流が検出された場合に、すべての交流信号発生器の交流信号発生を停止することを特徴とする請求項１〜３のいずれか１項に記載の交流信号発生器。
【請求項５】
ＵＮＩＴ２接続端子と、ＵＮＩＴ３接続端子とを備え、
前記設定制御部は、
マスタとして動作する場合に、前記ＵＮＩＴ２接続端子に接続されたスレーブに、第２相の基準信号に対する電圧と電流の位相差を伝達し、前記ＵＮＩＴ３接続端子に接続されたスレーブに、第３相の基準信号に対する電圧と電流の位相差を伝達することを特徴とする請求項１〜４のいずれか１項に記載の交流信号発生器。
【請求項６】
前記設定制御部は、
第３相が不要な結線方式の場合、前記ＵＮＩＴ３接続端子に接続されたスレーブに、交流信号発生の停止を伝達することを特徴とする請求項５に記載の交流信号発生器。
【発明の詳細な説明】
【技術分野】
【０００１】
本発明は、複数台で同期運転可能な交流信号発生器に関する。
【背景技術】
【０００２】
一般に、計測機器は、その機器が示す値に対して信頼性を確保するために、国際基準にトレーサブルされた機器を用いて定期的に校正作業が施される。この作業に用いられる機器として交流信号発生器が知られている。交流信号発生器では、複数台接続して同期運転することで、電力計の校正システムを構築できるものが実用化されている。
【０００３】
図９は、従来の交流信号発生器３００の構成を示すブロック図である。交流信号発生器３００は、位相差等の設定に従って、基準信号に同期した交流電圧あるいは交流電流を出力する装置である。交流信号発生器３００は、マスタ機能とスレーブ機能とを備えており、マスタとして動作する場合には、基準信号を発生して外部に出力し、スレーブとして動作する場合には、基準信号を外部から入力する。
【０００４】
本図に示すように、交流信号発生器３００は、外部端子として、ＯＳＣ＿ＩＮ端子３０１、ＯＳＣ＿ＯＵＴ端子３０２、電圧端子３０３、電流端子３０４を備えている。ＯＳＣ＿ＩＮ端子３０１は、外部から基準信号を入力する端子である。ＯＳＣ＿ＯＵＴ端子３０２は、外部に基準信号を出力する端子である。
【０００５】
また、交流信号発生器３００は、設定制御部３１０、基準信号発生部３２０、交流電圧・電流発生部３３０、通信Ｉ／Ｆ３４０、操作Ｉ／Ｆ３５０、切替スイッチ３６０を備えている。
【０００６】
操作Ｉ／Ｆ３５０は、ユーザから設定パラメータの入力を受け付ける。また、表示器を備えており、交流信号発生器３００で過電圧、過電流が検出された時は、表示器にその旨を表示する。
【０００７】
通信Ｉ／Ｆ３４０は、例えば、ＵＳＢ等の汎用的なインタフェースである。通信Ｉ／Ｆ３４０を介してＰＣ等の外部制御機器からリモート制御を行なうことができる。また、交流信号発生器３００で過電圧、過電流が検出された時は、外部制御機器に割り込み信号を出力することができる。
【０００８】
設定制御部３１０は、通信Ｉ／Ｆ３４０、操作Ｉ／Ｆ３５０を介して、ユーザから設定パラメータを受け付け、基準信号発生部３２０、交流電圧・電流発生部３３０、切替スイッチ３６０の動作を制御する。また、設定制御部３１０は、交流電圧・電流発生部３３０から過電圧、過電流の発生が通知された時は、通信Ｉ／Ｆ３４０、操作Ｉ／Ｆ３５０を介してその旨を外部に出力する。
【０００９】
設定制御部３１０が受け付ける設定パラメータには、基準信号の周波数、電圧・電流の振幅、電圧・電流の基準信号に対する位相、出力のＯＮ／ＯＦＦ等を含めることができる。基準信号の周波数は、マスタとして動作する場合の基準信号発生部３２０に対する設定であり、振幅、位相、出力のＯＮ／ＯＦＦは交流電圧・電流発生部３３０に対する設定である。
【００１０】
基準信号発生部３２０は、設定制御部３１０により設定された周波数の基準信号を発生する。基準信号はｃｏｓ（ωｔ）、ｓｉｎ（ωｔ）に比例した信号Ｉ、Ｑからなる直交２相信号である。
【００１１】
切替スイッチ３６０は、設定制御部３１０の設定に従い、ＥＸＴ側とＩＮＴ側とで切り替わる。ＩＮＴ側では、基準信号発生部３２０が出力する基準信号が交流電圧・電流発生部３３０に導かれるとともに、ＯＳＣ＿ＯＵＴ端子３０２から出力される。一方、ＥＸＴ側では、ＯＳＣ＿ＩＮ端子３０１から入力する基準信号が交流電圧・電流発生部３３０に導かれるとともに、ＯＳＣ＿ＯＵＴ端子３０２から出力される。
【００１２】
設定制御部３１０は、交流信号発生器３００をマスタとして動作させる場合には、切替スイッチ３６０をＩＮＴ側に切替え、交流信号発生器３００をスレーブとして動作させる場合には、切替スイッチ３６０をＥＸＴ側に切り替える。
【００１３】
交流電圧・電流発生部３３０は、基準信号を入力し、設定制御部３１０により設定された振幅と位相φで、交流電圧あるいは交流電流のいずれか一方を出力する。電圧出力の場合は電圧端子３０３から出力し、電流出力の場合は電流端子３０４から出力する。なお、簡単のため、基準信号の振幅は１であるとして説明する。
【００１４】
出力電圧、出力電流は、基準信号に同期し、基準信号のｃｏｓ（ωｔ）に対して指定された位相で発生する。基準信号のｃｏｓ（ωｔ）に対して位相φの信号は
ｃｏｓ（ωｔ＋φ）＝ｃｏｓ（ωｔ）・ｃｏｓ（φ）−ｓｉｎ（ωｔ）・ｓｉｎ（φ）
として算出される。
【００１５】
また、交流電圧・電流発生部３３０は、出力信号の過電圧、過電流を検出することができ、検出すると出力をＯＦＦするとともに、設定制御部３１０に通知する。この通知は、通信Ｉ／Ｆ３４０、操作Ｉ／Ｆ３５０を介して外部に出力される。
【００１６】
虚負荷法による交流電力発生の場合、各相は電圧と電流を発生する２台の交流信号発生器３００の組で構成される。例えば、３相交流電力発生の場合、最大６台の交流信号発生器３００で構成することができる。
【００１７】
図１０は、６台の交流信号発生器３００（３００ａ〜３００ｆ）で交流電力を発生させる構成を示している。
【００１８】
本図の例では、交流信号発生器３００ａがマスタとして動作し、基準信号を生成して出力するとともに、第１相の電圧を出力する。他の５台はスレーブとして動作し、交流信号発生器３００ｂが第１相の電流を出力し、交流信号発生器３００ｃが第２相の電圧を出力し、交流信号発生器３００ｄが第２相の電流を出力し、交流信号発生器３００ｅが第３相の電圧を出力し、交流信号発生器３００ｆが第３相の電流を出力する。
【００１９】
この場合、マスタとして動作する交流信号発生器３００ａのＯＳＣ＿ＯＵＴ端子を次段の交流信号発生器３００ｂのＯＳＣ＿ＩＮ端子に接続する。以下、順にＯＳＣ＿ＯＵＴ端子とＯＳＣ＿ＩＮ端子とを接続する。
【００２０】
また、マスタとして動作する交流信号発生器３００ａの切替スイッチ３６０ａをＩＮＴ側に切替え、基準信号発生部３２０ａが発生する基準信号のｃｏｓ（ωｔ）側を使用して出力信号を発生する。直交２相の基準信号はＯＳＣ＿ＯＵＴ端子から外部へ出力する。
【００２１】
スレーブとして動作する交流信号発生器３００ｂ〜ｆは切替スイッチ３６０をＥＸＴ側に切替え、外部基準信号で出力信号を発生する。これにより、すべての交流信号発生器３００が、マスタとして動作する交流信号発生器３００ａが発生する基準信号に同期して出力信号を発生することになる。
【００２２】
従来の交流信号発生器３００の交流電力出力時の動作について説明する。交流電力発生の結線方式には、単相２線式、単相３線式、三相３線式（Ｖ結線）、三相４線式がある。図１１は、結線方式毎の、出力相数および必要な交流発生器３００の台数を示している。
【００２３】
出力する交流信号は、周波数（電圧、電流で共通）、相（もしくは線間）電圧振幅、線電流振幅、同一相の電圧と電流間の位相差θで指定される。位相差θは進み／遅れと力率（力率＝ｃｏｓ（θ））で指定されることもある。また、交流信号発生器３００は、設定パラメータで交流電圧・電流発生部３３０出力ＯＮ／ＯＦＦを制御することができる。ここでは、平衡な交流信号を対象とする。
【００２４】
まず、マスタとして動作する交流信号発生器３００ａに基準信号の周波数を設定する。交流信号発生器３００ａの基準信号発生部３２０ａは、設定された周波数の基準信号を自装置の交流電圧・電流発生部３３０ａおよびスレーブとして動作する他の交流信号発生器３００ｂ〜３００ｆに供給する。これにより、すべての交流信号発生器３２０ａ〜３２０ｆは基準信号に同期する。
【００２５】
平衡な交流信号を前提とするため、各相の相（もしくは線間）電圧の振幅、線電流振幅は同じになる。各相の交流信号発生器３００に操作Ｉ／Ｆ３５０（もしくは通信Ｉ／Ｆ３４０）から相（もしくは線間）電圧の振幅、線電流の振幅を電圧振幅、電流振幅として個別に設定する。
【００２６】
各相の電圧、電流の位相は、結線方式によって異なる。図１２は、結線方式毎の、各相の電圧、電流の位相を示している。各相の交流信号発生器３００には、操作Ｉ／Ｆ３５０（もしくは通信Ｉ／Ｆ３４０）から位相を個別に設定する。
【００２７】
図１２において、結線方式を「三相３線式（Ｖ結線）」とした場合、第２相の電圧位相が−６０°になっている。これは、交流信号発生器３００の出力をサイクリックに接続すれば、本来１２０°であるが、交流信号発生器３００の出力端子の０Ｖ側を共通に接続する目的で反転（即ち１８０°シフト）を行なっているためである。また、電流位相が電圧位相に対してそれぞれ±３０°シフトしているのは、線間電圧と線電流の位相差が理由である。
【００２８】
交流電圧・電流発生部３３０により、出力信号の過電圧、過電流が検出されると、異常を検出した交流信号発生器３３０の出力が個別にＯＦＦになり、操作Ｉ／Ｆ３５０の表示器に異常が表示される。また、通信Ｉ／Ｆ３４０からＰＣ等の外部制御機器に異常が通知される。
【先行技術文献】
【特許文献】
【００２９】
【特許文献１】特開平６−１３２７３０号公報
【発明の概要】
【発明が解決しようとする課題】
【００３０】
従来の交流信号発生器３００では、交流信号の電圧と電流間の位相差θから、結線方式に応じて、各相の電圧・電流の基準信号からの位相をユーザが算出する。
【００３１】
例えば、三相４線式の結線のときに、θとして４５°を設定すると、第１相の電流は４５°、第２相の電圧は−１２０°、第２相の電流は−７５°、第３相の電圧は−２４０°、第３相の電流は−１９５°という具合である。
【００３２】
そして、算出された位相を、各装置に対して個別に設定する。例えば、交流信号発生器３００ｂに対して４５°を設定し、交流信号発生器３００ｃに対して−１２０°を設定し、交流信号発生器３００ｄに対して−７５°を設定し、交流信号発生器３００ｅに対して−２４０°を設定し、交流信号発生器３００ｆに対して−１９５°を設定するという具合である。このため、ユーザの設定作業が繁雑となっていた。
【００３３】
また、例えば、単相２線式結線の場合には、位相の設定自体は交流信号発生器３００ｂに対して行なえばよいが、信号を出力しない交流信号発生器３００ｃ〜交流信号発生器３００ｆに対しても、出力信号ＯＦＦの設定を個別に行なわなくてはならず、やはり、ユーザの設定作業が繁雑となっていた。
【００３４】
そこで、本発明は、複数台の交流信号発生器を同期運転して交流電力を発生させる場合に、ユーザの設定作業を簡易化することを目的とする。
【課題を解決するための手段】
【００３５】
上記課題を解決するため、本発明の交流信号発生器は、マスタあるいはスレーブとして動作し、複数台で同期運転して交流電力を発生する交流信号発生器であって、交流電圧発生部と、交流電流発生部と、基準信号を発生する基準信号発生部と、マスタとして動作する場合に、結線方式と、基準信号の周波数と、電圧と電流との位相差と、の設定を受け付け、設定された周波数の基準信号を外部に出力し、設定された結線方式に応じて、各相の電圧と電流の基準信号に対する位相差を算出し、前記基準信号に同期して、第１相の交流信号を、前記交流電圧発生部と前記交流電流発生部に発生させ、他相の基準信号に対する電圧と電流の位相差をスレーブに伝達し、スレーブとして動作する場合に、基準信号を外部から入力し、外部から入力した前記基準信号に同期して、マスタから伝達された前記位相差に従った交流信号を、前記交流電圧発生部と前記交流電流発生部に発生させる設定制御部と、を備えたことを特徴とする。
ここで、表示器を備え、前記設定制御部は、マスタとして動作する場合に、前記算出した各相の電圧と電流の基準信号に対する位相差に基づく位相図を前記表示器に表示することができる。
このとき、前記設定制御部は、スレーブとして動作する場合に、前記マスタから伝達された位相差に基づく位相図を前記表示器に表示することができる。
また、前記設定制御部は、自交流信号発生器および接続された交流信号発生器のいずれかにおいて、過電圧あるいは過電流が検出された場合に、すべての交流信号発生器の交流信号発生を停止することができる。
また、ＵＮＩＴ２接続端子と、ＵＮＩＴ３接続端子とを備え、前記設定制御部は、マスタとして動作する場合に、前記ＵＮＩＴ２接続端子に接続されたスレーブに、第２相の基準信号に対する電圧と電流の位相差を伝達し、前記ＵＮＩＴ３接続端子に接続されたスレーブに、第３相の基準信号に対する電圧と電流の位相差を伝達することができる。
このとき、前記設定制御部は、第３相が不要な結線方式の場合、前記ＵＮＩＴ３接続端子に接続されたスレーブに、交流信号発生の停止を伝達することができる。
【発明の効果】
【００３６】
本発明によれば、複数台の交流信号発生器を同期運転して交流電力を発生させる場合に、ユーザの設定作業を簡易化することができる。
【図面の簡単な説明】
【００３７】
【図１】本実施形態の交流信号発生器の構成を示すブロック図である。
【図２】３台の交流信号発生器で交流電力を発生させる構成を示す図である。
【図３】マスタとして動作する交流信号発生器の交流電力出力時の操作、動作について説明するフローチャートである。
【図４】設定画面を説明する図である。
【図５】設定画面を説明する図である。
【図６】位相図を説明する図である。
【図７】結線方式とＵＮＩＴの要否との関係を説明する図である。
【図８】スレーブとして動作する交流信号発生器の交流電力出力時の操作、動作について説明するフローチャートである。
【図９】従来の交流信号発生器の構成を示すブロック図である。
【図１０】６台の交流信号発生器で交流電力を発生させる構成を示す図である。
【図１１】結線方式毎の、出力相数および必要な交流発生器の台数を示す図である。
【図１２】結線方式毎の、各相の電圧、電流の位相を示す図である。
【発明を実施するための形態】
【００３８】
本発明の実施の形態について図面を参照して説明する。図１は、本実施形態の交流信号発生器１００の構成を示すブロック図である。交流信号発生器１００は、設定に従って、基準信号に同期した交流電圧および交流電流を出力する装置である。ただし、交流電圧、交流電流のいずれか一方を出力することも可能である。
【００３９】
交流信号発生器１００は、マスタ機能とスレーブ機能とを備えており、マスタとして動作する場合には、基準信号を生成して外部に出力し、スレーブとして動作する場合には、基準信号を外部から入力する。
【００４０】
本図に示すように、交流信号発生器１００は、外部端子として、ＯＳＣ＿ＩＮ端子１０１、ＯＳＣ＿ＯＵＴ端子１０２、電圧端子１０３、電流端子１０４、ＵＮＩＴ２接続端子１０５、ＵＮＩＴ３接続端子１０６を備えている。
【００４１】
ＯＳＣ＿ＩＮ端子１０１は、外部から基準信号を入力する端子である。ＯＳＣ＿ＯＵＴ端子１０２は、外部に基準信号を出力する端子である。ＵＮＩＴ２接続端子１０５、ＵＮＩＴ３接続端子１０６は、マスタとして動作する際に、スレーブと接続するための通信インタフェースである。
【００４２】
マスタとして動作する交流信号発生器１００は、第１相の交流信号を出力する。そして、ＵＮＩＴ２接続端子１０５に接続された他の交流信号発生器１００が第２相の交流信号を出力するスレーブ（以下「ＵＮＩＴ２」とも称する）として動作し、ＵＮＩＴ３接続端子１０６に接続された他の交流信号発生器１００が第３相の交流信号を出力するスレーブ（以下「ＵＮＩＴ３」とも称する）として動作する。ただし、結線方式によっては、第２相、第３相を出力する交流信号発生器１００は不要となる。
【００４３】
交流信号発生器１００は、設定制御部１１０、第２相設定制御部１１２、第３相設定制御部１１３、基準信号発生部１２０、交流電圧発生部１３０、交流電流発生部１３２、通信Ｉ／Ｆ１４０、操作Ｉ／Ｆ１５０、切替スイッチ１６０を備えている。
【００４４】
操作Ｉ／Ｆ１５０は、マスタとして動作する際に、ユーザから設定パラメータの入力を受け付ける。また、操作Ｉ／Ｆ１５０は、表示器１５１を備えている。ユーザから入力を受け付ける設定パラメータには、結線方式、基準信号の周波数、電圧・電流の振幅、電圧・電流の位相差θを含めることができる。
【００４５】
通信Ｉ／Ｆ１４０は、例えば、ＵＳＢ等の汎用的なインタフェースである。通信Ｉ／Ｆ１４０を介してＰＣ等の外部制御機器からリモート制御を行なうことができる。また、スレーブとして動作する場合には、マスタのＵＮＩＴ２接続端子１０５あるいはＵＮＩＴ３接続端子１０６と接続して通信を行なう。
【００４６】
設定制御部１１０は、通信Ｉ／Ｆ１４０、操作Ｉ／Ｆ１５０を介して、設定パラメータを受け付け、交流電圧発生部１３０、交流電流発生部１３２、切替スイッチ１６０の動作を制御する。マスタとして動作する場合には、さらに、第２相設定制御部１１２、第３相設定制御部１１３、基準信号発生部１２０の動作を制御する。
【００４７】
設定制御部１１０は、第２相設定制御部１１２、第３相設定制御部１１３の制御に必要な設定情報１１１を備えている。設定情報１１１は、図１２に示したような、結線方式毎の位相設定規則を含んでいる。
【００４８】
また、設定制御部１１０は、交流電圧発生部１３０で過電圧が検出されたとき、交流電流発生部１３２で過電流が検出されたときは、自器からの信号出力をＯＦＦにする。そして、スレーブとして動作している場合は、通信Ｉ／Ｆ１４０を介してマスタに通知する。この通知を受けたマスタは、すべての交流信号発生器１００の電圧出力、電流出力をＯＦＦにするとともに、通信Ｉ／Ｆ１４０、表示器１５１を介して外部に過電圧、過電流が発生した旨を出力する。
【００４９】
第２相設定制御部１１２は、マスタとして動作する場合に、ＵＮＩＴ２接続端子１０５に接続された他の交流信号発生器１００に、第２相交流信号を出力するための設定を行なう。第３相設定制御部１１３は、マスタとして動作する場合に、ＵＮＩＴ３接続端子１０６に接続された他の交流信号発生器１００に、第３相交流信号を出力するための設定を行なう。なお、第２相設定制御部１１２、第３相設定制御部１１３の機能を設定制御部１１０に含めてもよい。
【００５０】
基準信号発生部１２０は、設定制御部１１０により設定された周波数の基準信号を発生する。基準信号はｃｏｓ（ωｔ）、ｓｉｎ（ωｔ）に比例した信号Ｉ、Ｑからなる直交２相信号である。
【００５１】
切替スイッチ１６０は、設定制御部１１０の設定に従い、ＥＸＴ側とＩＮＴ側とで切り替わる。ＩＮＴ側では、基準信号発生部１２０が出力する基準信号が交流電圧発生部１３０および交流電流発生部１３２に導かれるとともに、ＯＳＣ＿ＯＵＴ端子１０２から出力される。一方、ＥＸＴ側では、ＯＳＣ＿ＩＮ端子１０１から入力する基準信号が交流電圧発生部１３０および交流電流発生部１３２に導かれるとともに、ＯＳＣ＿ＯＵＴ端子１０２から出力される。
【００５２】
設定制御部１１０は、交流信号発生器１００をマスタとして動作させる場合には、切替スイッチ１６０をＩＮＴ側に切替え、交流信号発生器１００をスレーブとして動作させる場合には、切替スイッチ１６０をＥＸＴ側に切り替える。
【００５３】
交流電圧発生部１３０は、基準信号を入力し、設定制御部１１０により設定された振幅と基準信号に対する位相φで、交流電圧信号を電圧端子１０３から出力する。交流電圧発生部１３０は、出力信号の過電圧を検出することができ、過電圧を検出すると出力をＯＦＦにするとともに、設定制御部１１０に通知する。
【００５４】
交流電流発生部１３２は、基準信号を入力し、設定制御部１１０により設定された振幅と基準信号に対する位相φで、交流電流信号を電流端子１０４から出力する。交流電流発生部１３２は、出力信号の過電流を検出することができ、過電流を検出すると出力をＯＦＦするとともに、設定制御部１１０に通知する。
【００５５】
本実施形態の交流信号発生器１００は、１台で１相分の交流電圧と交流電流を発生するため、例えば、３相交流電力発生の場合、最大３台の交流信号発生器１００で構成することができる。
【００５６】
図２は、３台の交流信号発生器１００（１００ａ〜１００ｃ）で交流電力を発生させる構成を示している。
【００５７】
本図の例では、交流信号発生器１００ａがマスタとして動作し、基準信号を生成して出力するとともに、第１相の電圧および電流を出力する。他の２台はスレーブとして動作し、交流信号発生器１００ｂが第２相の電圧および電流を出力し、交流信号発生器１００ｃが第３相の電圧および電流を出力する。
【００５８】
この場合、マスタとして動作する交流信号発生器１００ａのＯＳＣ＿ＯＵＴ端子１０２ａを次段の交流信号発生器１００ｂのＯＳＣ＿ＩＮ端子１０１ｂに接続し、交流信号発生器１００ｂのＯＳＣ＿ＯＵＴ端子１０２ｂを次段の交流信号発生器１００ｃのＯＳＣ＿ＩＮ端子１０１ｃに接続する。
【００５９】
マスタとして動作する交流信号発生器１００ａのＵＮＩＴ２接続端子１０５ａと交流信号発生器１００ｂの通信Ｉ／Ｆ１４０とを接続する。これにより、交流信号発生器１００ｂがＵＮＩＴ２として動作する。また、交流信号発生器１００ａのＵＮＩＴ３接続端子１０６ａと交流信号発生器１００ｃの通信Ｉ／Ｆ１４０とを接続する。これにより、交流信号発生器１００ｃがＵＮＩＴ３として動作する。
【００６０】
本実施形態の交流信号発生器１００の交流電力出力時の動作について説明する。まず、マスタとして動作する交流信号発生器１００ａの動作について図３のフローチャートを参照して説明する。
【００６１】
マスタとして動作する交流信号発生器１００ａの設定制御部１１０ａは、ユーザから設定パラメータの入力を受け付ける（Ｓ１０１）。設定パラメータの受け付けは、まず、図４に示すような設定画面２００で、結線方式の指定を受け付ける。ユーザは、例えば、メニュー２０１から選択することで結線方式を指定することができる。指定された結線方式は、表示欄２０２に表示される。
【００６２】
さらに、図５に示すような設定画面２１０で、相（線間）電圧振幅２１１、線電流振幅２１２、電圧・電流位相差θ２１３、周波数２１５の設定を受け付ける。電圧・電流位相差θは、力率２１４で受け付けるようにしてもよい。
【００６３】
設定画面２００、設定画面２１０等は、表示器１５１ａに表示することができる。また、通信Ｉ／Ｆ１４０ａを介して接続されたＰＣ等に表示することもできる。
【００６４】
設定制御部１１０ａは、設定パラメータを受け付けると、受け付けた内容、具体的には、結線方式と電圧・電流位相差θに従って設定画面２１０に位相図２１６を表示する（Ｓ１０２）。
【００６５】
位相図は、図６に示すように、結線方式毎に態様が異なり、位相図により、各相の電圧、電流の位相を確認することができる。なお、振幅は、実際の設定値にかかわらず、一定の長さで表している。ここで、図６（ａ）は、単相２線式の位相図であり、図６（ｂ）は、単相３線式の位相図であり、図６（ｃ）は、三相３線式（Ｖ結線）の位相図であり、図６（ｄ）は、三相４線式の位相図である。
【００６６】
設定制御部１１０ａは、結線方式毎の位相設定規則を含んだ設定情報１１１ａを参照することで、設定パラメータの結線方式と位相差θとから各相の電圧と電流の基準信号に対する位相を一意に算出することができる。
【００６７】
設定制御部１１０ａは、マスタとして動作するため、切替スイッチ１６０ａをＩＮＴ側に切替える（Ｓ１０３）。
【００６８】
また、第２相設定制御部１１２ａがＵＮＩＴ２接続端子１０５ａを介して、ＵＮＩＴ２に設定パラメータを伝達し、第３相設定制御部１１３ａがＵＮＩＴ３接続端子１０６ａを介して、ＵＮＩＴ３に設定パラメータを伝達する。
【００６９】
伝達する設定パラメータは、結線方式に応じて異なる。例えば、図７に示すように、単相２線式では、ＵＮＩＴ２、ＵＮＩＴ３は不要であるため、ＵＮＩＴ２、ＵＮＩＴ３について、出力ＯＦＦの設定パラメータを伝達する。単相３線式、三相３線式の場合は、ＵＮＩＴ２に対して、電圧、電流の振幅と、電圧、電流の基準信号に対する位相を設定パラメータとして伝達し、ＵＮＩＴ３に対して出力ＯＦＦの設定パラメータを伝達する。三相４線式の場合は、ＵＮＩＴ２およびＵＮＩＴ３に対して、電圧、電流の振幅と、電圧、電流の基準信号に対する位相を設定パラメータとして伝達する。
【００７０】
そして、第１相の交流信号を出力する（Ｓ１０５）。交流信号の出力中に、交流電圧発生部１３０ａ、交流電流発生部１３２ａから過電圧、過電流の通知を受けた場合、あるいはＵＮＩＴ２、ＵＮＩＴ３から過電圧、過電流の通知を受けた場合（Ｓ１０６：Ｙｅｓ）は、割り込み処理で交流電圧発生部１３０ａ、交流電流発生部１３２ａのみならず、ＵＮＩＴ２、ＵＮＩＴ３の出力もＯＦＦにする（Ｓ１０７）。これにより、個別に出力をＯＦＦにする手間を省くことができる。また、表示器１５１ａに異常を表示するとともに、通信Ｉ／Ｆ１４０からＰＣ等の外部制御機器に異常を通知する（Ｓ１０８）。
【００７１】
次に、スレーブとして動作する交流信号発生器１００の動作について図８のフローチャートを参照して説明する。
【００７２】
スレーブとして動作する交流信号発生器１００の設定制御部１１０は、マスタとして動作する交流信号発生器１００ａから設定パラメータを受信する（Ｓ２０１）。受信した設定パラメータが出力ＯＦＦであれば（Ｓ２０２：Ｙｅｓ）、信号出力動作は不要となる。
【００７３】
受信した設定パラメータが出力ＯＦＦでなければ（Ｓ２０２：Ｎｏ）、受信した電圧、電流の基準信号に対する位相に基づいた位相図を表示器１５１に表示する（Ｓ２０３）。スレーブの場合は、そのＵＮＩＴの単相についての位相図が表示される。
【００７４】
例えば、単相３線式のＵＮＩＴ２であれば、図６（ｂ）のＶ２とＩ２とが表示され、三相３線式（Ｖ結線）のＵＮＩＴ２であれば、図６（ｃ）のＶ２とＩ２とが表示され、三相４線式のＵＮＩＴ３であれば、図６（ｄ）のＶ３とＩ３とが表示される。
【００７５】
設定制御部１１０は、スレーブとして動作するため、切替スイッチ１６０をＥＸＴ側に切替える（Ｓ２０４）。
【００７６】
そして、第２相、第３相の交流信号を出力する（Ｓ２０５）。交流信号の出力中に、交流電圧発生部１３０、交流電流発生部１３２から過電圧、過電流の通知を受けた場合（Ｓ２０６：Ｙｅｓ）は、割り込み処理で交流電圧発生部１３０、交流電流発生部１３２の出力をＯＦＦにする（Ｓ２０７）。また、マスタに過電圧、過電流を通知する（Ｓ２０８）。
【００７７】
以上説明したように、本実施形態の交流信号発生器１００によれば、マスタとして動作する交流信号発生器１００に結線方式と、電圧と電流の位相差を設定すると、各スレーブに電圧と電流の基準信号に対する位相差が設定されるため、複数台の交流信号発生器を同期運転して交流電力を発生させる場合に、ユーザの設定作業を簡易化することができる。
【００７８】
また、マスタに位相図が表示されるため、交流信号発生の全体像を容易に確認することができる。スレーブには単相の位相図が表示されるため、各相の信号が明確になり、誤配線を防止することができる。
【００７９】
また、いずれかの交流信号発生器１００で過電圧、過電流が発生した場合であっても、すべての交流信号発生器１００の信号出力がＯＦＦになるため、異常発生時のユーザの手間を軽減することができる。
【００８０】
また、交流信号発生器１００は、マスタ機能とスレーブ機能とを兼ね備えているため、機器構成の柔軟性が向上ずる。
【符号の説明】
【００８１】
１００…交流信号発生器、１０１…ＯＳＣ＿ＩＮ端子、１０２…ＯＳＣ＿ＯＵＴ端子、１０３…電圧端子、１０４…電流端子、１０５…ＵＮＩＴ２接続端子、１０６…ＵＮＩＴ３接続端子、１１０…設定制御部、１１１…設定情報、１１２…第２相設定制御部、１１３…第３相設定制御部、１２０…基準信号発生部、１３０…交流電圧発生部、１３２…交流電流発生部、１４０…通信Ｉ／Ｆ、１５０…操作Ｉ／Ｆ、１５１…表示器、１６０…切替スイッチ
【図１】
2019021960.tif 000003
【図２】
2019021960.tif 000004
【図３】
2019021960.tif 000005
【図４】
2019021960.tif 000006
【図５】
2019021960.tif 000007
【図６】
2019021960.tif 000008
【図７】
2019021960.tif 000009
【図８】
2019021960.tif 000010
【図９】
2019021960.tif 000011
【図１０】
2019021960.tif 000012
【図１１】
2019021960.tif 000013
【図１２】
2019021960.tif 000014